(57)【要約】【課題】簡素な構成により確実に締結を行い、耐腐食性を向上したコネクタ構造を提供する。【解決手段】第一電気供給線１９を収容する第一ユニット１０と、第二電気供給線２９を収容する第二ユニット２０と、第一ユニッ１０トと第二ユニット２０とを締結する締結構造３０と、を備え、第一ユニット１０は、第一接続端１３と、第二ユニット２０と対向する第一組合せ面１４と、第一組合せ面１４の外周に沿う第一ガイド部１５と、を有し、第二ユニット２０は、第一ガイド部１５に当接する第二組合せ面２４と、第二組合せ面２４の外周に沿うとともに第一ユニット１０と第二ユニット２０とが締結された状態において第一ガイド部１５を囲う第二ガイド部２５と、を有し、締結構造３０は、単一のボルト３３を有し、第一ガイド部１５及び第二ガイド部２５は、第一ユニット１０及び第二ユニット２０の締結方向ＤＣに沿う軸線に対し傾斜している。【選択図】図１
2020113408.tif 000002
【特許請求の範囲】
【請求項１】
電気機器に電流を供給するためのコネクタ構造であって、
前記電気機器に前記電流を供給するための第一電気供給線を収容する第一ユニットと、
前記電気機器に前記電流を供給するための第二電気供給線を収容する第二ユニットと、
前記第一ユニットと第二ユニットとを締結するための締結構造と、を備え、
前記第一ユニットは、
前記第一電気供給線に接続される第一接続端と、
前記第二ユニットと対向する第一組合せ面と、
前記第一組合せ面の外周に沿って設けられた第一ガイド部と、を有し、
前記第二ユニットは、
前記第二電気供給線に接続される第二接続端と、
前記第一ユニットと前記第二ユニットとが締結された状態において前記第一ガイド部に当接する第二組合せ面と、
前記第二組合せ面の外周に沿って設けられ、かつ、前記第一ユニットと前記第二ユニットとが締結された状態において前記第一ガイド部を囲う第二ガイド部と、を有し、
前記締結構造は、前記第一ユニットと前記第二ユニットとを締結するための単一のボルトを有し、
前記第一ガイド部及び前記第二ガイド部は、前記第一ユニット及び前記第二ユニットの締結方向に沿う軸線に対し傾斜していることを特徴とするコネクタ構造。
【請求項２】
前記締結構造は、
前記第一ユニット及び前記第二ユニットのいずれか一方に設けられ、かつ、前記ボルトが螺合されるネジ穴と、
前記第一ユニット及び前記第二ユニットのいずれか他方に設けられたボルト挿通孔と、を有し、
前記ボルト挿通孔は、前記締結方向に直交し、かつ前記第一ユニットと前記第二ユニットとの締結時に前記第一ユニットと前記第二ユニットとが相対移動する方向に沿う第一方向に延在する長孔であることを特徴とする請求項１に記載のコネクタ構造。
【請求項３】
前記締結構造は、前記第一接続端及び前記第二接続端よりも鉛直下方側に設けられ、
前記第一ガイド部及び前記第二ガイド部の少なくとも一方は、前記第一接続端及び前記第二接続端よりも鉛直上方側の上辺において上方に突出する凸部を有することを特徴とする請求項１又は請求項２に記載のコネクタ構造。
【発明の詳細な説明】
【技術分野】
【０００１】
本発明は、コネクタ構造に関するものである。
【背景技術】
【０００２】
従来、ハイブリッド自動車や電気自動車における電気系統を駆動するための三相交流電源を各駆動系に接続するコネクタに関する技術が種々提案されている。
【０００３】
例えば特許文献１には、回転電機のハウジングに連結可能に構成されたコネクタユニットの構成が記載されている。コネクタユニットは、直流電源用端子と、三相交流電源用端子と、モータハウジング内に設けられて直流電力と三相交流電力との電力変換を行う電力変換部と、を有する。特許文献１に記載の技術によれば、コネクタユニットの一部がモータハウジングに装着されることにより、コネクタユニットの三相交流電源用端子と、モータ側端子と、が近接するので、電力変換部から回転電機まで延びる三相交流電源用配線が不要になる。これにより、三相交流電源用配線を用いていた箇所が直流電源用配線に置き換えられることで、配線の使用量の低減、コストの削減及び軽量化を図ることができるとされている。
【先行技術文献】
【特許文献】
【０００４】
【特許文献１】特開２００９−１１１０６号公報
【発明の概要】
【発明が解決しようとする課題】
【０００５】
しかしながら、特許文献１に記載の技術にあっては、複数の取付ネジを用いてハウジングとコネクタユニットとを締結している、このため、複数の取付ネジを取り付ける作業が必要となり、締結作業が煩雑になるおそれがある。一方、単純に取付ネジの個数を減少させた場合は、締結時の押圧力により接続部分に生じた隙間において、錆や水分の浸入による腐食が発生するおそれがある。
【０００６】
そこで、本発明は、簡素な構成により確実に締結を行い、耐腐食性を向上したコネクタ構造を提供することを目的とする。
【課題を解決するための手段】
【０００７】
上記の課題を解決するため、請求項１に記載の発明に係るコネクタ構造（例えば、実施形態におけるコネクタ構造１）は、電気機器に電流を供給するためのコネクタ構造であって、前記電気機器に前記電流を供給するための第一電気供給線（例えば、実施形態における第一電気供給線１９）を収容する第一ユニット（例えば、実施形態における第一ユニット１０）と、前記電気機器に前記電流を供給するための第二電気供給線（例えば、実施形態における第二電気供給線２９）を収容する第二ユニット（例えば、実施形態における第二ユニット２０）と、前記第一ユニットと第二ユニットとを締結するための締結構造（例えば、実施形態における締結構造３０）と、を備え、前記第一ユニットは、前記第一電気供給線に接続される第一接続端（例えば、実施形態における第一接続端１３）と、前記第二ユニットと対向する第一組合せ面（例えば、実施形態における第一組合せ面１４）と、前記第一組合せ面の外周に沿って設けられた第一ガイド部（例えば、実施形態における第一ガイド部１５）と、を有し、前記第二ユニットは、前記第二電気供給線に接続される第二接続端（例えば、実施形態における第二接続端２３）と、前記第一ユニットと前記第二ユニットとが締結された状態において前記第一ガイド部に当接する第二組合せ面（例えば、実施形態における第二組合せ面２４）と、前記第二組合せ面の外周に沿って設けられ、かつ、前記第一ユニットと前記第二ユニットとが締結された状態において前記第一ガイド部を囲う第二ガイド部（例えば、実施形態における第二ガイド部２５）と、を有し、前記締結構造は、前記第一ユニットと前記第二ユニットとを締結するための単一のボルト（例えば、実施形態におけるボルト３３）を有し、前記第一ガイド部及び前記第二ガイド部は、前記第一ユニット及び前記第二ユニットの締結方向（例えば、実施形態における締結方向ＤＣ）に沿う軸線に対し傾斜していることを特徴としている。
【０００８】
また、請求項２に記載の発明に係るコネクタ構造は、前記締結構造は、前記第一ユニット及び前記第二ユニットのいずれか一方に設けられ、かつ、前記ボルトが螺合されるネジ穴（例えば、実施形態におけるネジ穴３１）と、前記第一ユニット及び前記第二ユニットのいずれか他方に設けられたボルト挿通孔（例えば、実施形態におけるボルト挿通孔３２）と、を有し、前記ボルト挿通孔は、前記締結方向に直交し、かつ前記第一ユニットと前記第二ユニットとの締結時に前記第一ユニットと前記第二ユニットとが相対移動する方向に沿う第一方向（例えば、実施形態における第一方向Ｄ１）に延在する長孔であることを特徴としている。
【０００９】
また、請求項３に記載の発明に係るコネクタ構造は、前記締結構造は、前記第一接続端及び前記第二接続端よりも鉛直下方側に設けられ、前記第一ガイド部及び前記第二ガイド部の少なくとも一方は、前記第一接続端及び前記第二接続端よりも鉛直上方側の上辺（例えば、実施形態における上辺１７）において上方に突出する凸部（例えば、実施形態における凸部１６）を有することを特徴としている。
【発明の効果】
【００１０】
本発明の請求項１に記載のコネクタ構造によれば、第一ユニットと第二ユニットとは単一のボルトにより締結される。これにより、従来技術のように複数のボルトを締結する必要がないので、締結作業にかかる手間を軽減できる。ところで、単一のボルトにより第一ユニットと第二ユニットとを締結した場合、ボルトと反対側の端部において、締結時の押圧力により第一ユニットと第二ユニットとの間に隙間が生じるおそれがある。本発明のコネクタ構造によれば、第一ガイド部及び第二ガイド部は、締結方向に沿う軸線に対して傾斜している。このため、第一ユニット及び第二ユニットは、ボルトを締め付けるにしたがい、締結方向に沿う軸線に対して傾斜した傾斜方向に沿って移動しながら締結される。これにより、ボルトの押圧力によりボルトを回転中心として端部同士が開こうとする力に対して、傾斜した第一ガイド部及び第二ガイド部が互いに係合し、隙間の発生を抑制できる。よって、簡素な締結構造であっても確実に第一ユニットと第二ユニットとを締結できる。
また、隙間の発生が抑制されることにより、錆や水分の浸入による腐食が生じにくいコネクタ構造とすることができる。
したがって、簡素な構成により確実に締結を行い、耐腐食性を向上したコネクタ構造を提供できる。
さらに、第一ユニット及び第二ユニットの締結方向が水平方向に沿うように配置された場合、ガイド部は水平方向に対して傾斜しているので、ガイド部に付着した水分は重力により傾斜に沿って落下する。これにより、ガイド部への水溜まりを抑制し、一層腐食性を向上できる。
【００１１】
本発明の請求項２に記載のコネクタ構造によれば、ボルト挿通孔は、第一方向に延在する長孔とされている。これにより、ボルト締結時、第一ユニットと第二ユニットとの第一方向への相対移動に伴う変位を許容できる。よって、ボルト、第一ユニット及び第二ユニットに応力が集中するのを抑制し、必要以上に大きな力を加えることなく容易に第一ユニットと第二ユニットとを締結できる。したがって、簡素な構成により確実に締結を行うことができる。また、ボルト、第一ユニット及び第二ユニットにかかる応力を低減できるので、耐久性の向上及び長寿命化を図ることができる。
【００１２】
本発明の請求項３に記載のコネクタ構造によれば、第一ガイド部及び第二ガイド部の少なくとも一方は、鉛直上方側に位置する上辺において上方に突出する凸部を有するので、上辺に付着した水滴や埃等の異物が上辺に溜まるのを抑制できる。これにより、第一接続端及び第二接続端における異物の堆積を抑制するとともに水溜まりによる腐食の発生を抑制できる。よって、より一層腐食性を向上したコネクタ構造とすることができる。
【図面の簡単な説明】
【００１３】
【図１】実施形態に係るコネクタ構造の概略を示す側面図。
【図２】実施形態に係る第一ユニットの斜視図。
【図３】実施形態に係る第二ユニットの斜視図。
【図４】実施形態に係る第一ユニットの正面図。
【図５】締結状態における第一ガイド部及び第二ガイド部の締結方向から見た概略断面図。
【図６】締結状態における第一ガイド部及び第二ガイド部の第二方向から見た概略断面図。
【図７】従来技術におけるコネクタ構造の側面図。
【図８】従来技術の締結状態における第一ガイド部及び第二ガイド部の第二方向から見た概略断面図。
【発明を実施するための形態】
【００１４】
以下、本発明の実施形態について図面を参照して説明する。
【００１５】
（コネクタ構造）
図１は、コネクタ構造１の側面図である。
コネクタ構造１は、不図示の電気機器に電流を供給するためのコネクタ構造である。コネクタ構造１は、例えばハイブリッド自動車や電気自動車等の車両に搭載され、車両の電気系統を駆動するための三相交流電源を各電気系統に接続するための三相コネクタの構造である。図１に示すように、コネクタ構造１は、第一ユニット１０と、第二ユニット２０と、締結構造３０と、を備える。コネクタ構造１は、第一ユニット１０と第二ユニット２０とが締結方向ＤＣに締結されて端子同士が電気的に接続されることにより、電流を供給可能とされている。
【００１６】
以下の説明において、第一ユニット１０と第二ユニット２０との締結方向ＤＣに直交する方向（図１における上下方向）を第一方向Ｄ１といい、締結方向ＤＣ及び第一方向Ｄ１にそれぞれ直交する方向（図１の紙面を貫通する方向）を第二方向という場合がある。
【００１７】
（第一ユニット）
図２は、第一ユニット１０の斜視図である。
第一ユニット１０は、電気機器に電流を供給するための第一電気供給線１９を収容している。第一ユニット１０は、第一ユニット本体１１と、フランジ１２と、第一接続端１３と、第一組合せ面１４と、第一ガイド部１５と、を有する。
【００１８】
第一ユニット本体１１は、締結方向ＤＣに沿う方向に延在している。第一ユニット本体１１の締結方向ＤＣから見た断面形状は、第二方向Ｄ２に長軸を有する長円形状に形成されている。第一ユニット本体１１の締結方向ＤＣにおける一方側（図１における左側）には、第一電気供給線１９が接続されている。第一ユニット本体１１の締結方向ＤＣにおける他方側（図１における右側）は、第一接続端１３とされている。
【００１９】
フランジ１２は、環状に形成されている。フランジ１２は、第一ユニット本体１１の外周部を囲っている。フランジ１２は、締結方向ＤＣから見て第二方向Ｄ２に長手を有する矩形状に形成されている。フランジ１２は、複数（本実施形態では２個）の取付孔１２ａを有する。取付孔１２ａは、締結方向ＤＣから見て、矩形状のフランジ１２における対角となる角部にそれぞれ形成されている。取付孔１２ａは、フランジ１２を締結方向ＤＣに貫通している。フランジ１２のうち、締結方向ＤＣの一方側を向く面は、当接面１２ｂとされている。当接面１２ｂは、外部の固定部材６（図１参照）に当接している。フランジ１２は、取付孔１２ａに不図示のネジが挿入されることにより、固定部材６に固定されている。フランジ１２が固定部材６に固定された状態において、第一ユニット１０のうち当接面１２ｂよりも締結方向の他方側の部分は、固定部材６の外部に露出している。
【００２０】
第一接続端１３は、第一ユニット本体１１の締結方向ＤＣにおける他方側端部に設けられている。第一接続端１３は、フランジ１２よりも締結方向ＤＣの他方側に突出している。第一接続端１３には、第一ユニット本体１１を介して第一電気供給線１９が電気的に接続されている。図１に示すように、第一接続端１３の突出方向は、締結方向ＤＣに対して傾斜している。具体的に、第一接続端１３は、基端から先端へ向かうにしたがい第一方向Ｄ１の一方側（図１における上方側）に位置するように、締結方向ＤＣに対して角度Ａだけ傾斜している。傾斜角度Ａは、１２°以上９０°未満とされている。なお、図１においては、説明のため傾斜角Ａを誇張して図示している。本実施形態において、第一方向Ｄ１は鉛直方向に沿う方向とされている。以降の説明において、第一方向Ｄ１の一方側を鉛直上方側といい、第一方向Ｄ１の他方側を鉛直下方側ということがある。
【００２１】
第一組合せ面１４は、第二ユニット２０に対向している。第一組合せ面１４は、締結方向ＤＣに沿う軸線に対して直交するように設けられている。本実施形態において、フランジ１２の締結方向ＤＣの他方側を向く面が第一組合せ面１４とされている。第一ユニット１０と第二ユニット２０とが締結された状態において、第一組合せ面１４には第二ユニット２０が当接している。
【００２２】
第一ガイド部１５は、第一組合せ面１４の外周に沿って設けられている。第一ガイド部１５は、第一組合せ面１４から締結方向ＤＣの他方側に向かって突出形成されている。第一ガイド部１５は、環状に形成されている。第一ガイド部１５は、第一接続端１３の外周部を囲っている。第一ガイド部１５の突出方向は、締結方向ＤＣに対して傾斜している。具体的に、第一ガイド部１５は、基端から先端へ向かうにしたがい鉛直上方側に位置するように、締結方向ＤＣに対して角度Ａだけ傾斜している。第一ガイド部１５の傾斜角度は、第一接続端１３の傾斜角度と実質的に同じになるように形成されている。第一ガイド部１５の締結方向ＤＣの長さは５ｍｍ以上とされ、５ｍｍに近いほど好ましい。
第一ガイド部１５は、凸部１６と、ネジ穴３１と、を有する。
【００２３】
図４は、第一ユニット１０を締結方向ＤＣの他方側から見た正面図である。
凸部１６は、第一接続端１３よりも鉛直上方側の上辺１７において上方に突出している。凸部１６は、締結方向ＤＣから見た正面視で、上方に凸をなすＶ字状（逆Ｖ字状）を有している。正面視で、凸部１６の外形は、鈍角の頂角を有する二等辺三角形である。凸部１６は、第一ガイド部１５に滑らかに接続されている。
【００２４】
ネジ穴３１は、第一ガイド部１５において、第一接続端１３よりも鉛直下方側に設けられている。図１に示すように、ネジ穴３１は、第一ガイド部１５の締結方向ＤＣ他方側の端面から締結方向ＤＣ一方側に向かって凹んでいる。ネジ穴３１の内周面には、ネジ部が形成されている。
【００２５】
（第二ユニット）
図３は、第二ユニット２０の斜視図である。
第二ユニット２０は、第一ユニット１０の締結方向ＤＣの他方側に配置されている。第二ユニット２０は、電気機器に電流を供給するための第二電気供給線２９を収容している。第二ユニット２０は、第二ユニット本体２１と、第二接続端２３と、第二組合せ面２４と、第二ガイド部２５と、を有する。
【００２６】
第二ユニット本体２１は、締結方向ＤＣに沿う方向に延在している。第二ユニット本体２１の締結方向ＤＣから見た断面形状は、第二方向Ｄ２に長軸を有する長円形状に形成されている。第二ユニット本体２１の締結方向ＤＣにおける他方側には、第二電気供給線２９が接続されている。第二ユニット本体２１の締結方向ＤＣにおける一方側は、第二接続端２３とされている。
【００２７】
第二接続端２３は、第二ユニット本体２１の締結方向ＤＣにおける一方側端部に設けられている。第二接続端２３には、第二ユニット本体２１を介して第二電気供給線２９が電気的に接続されている。図１に示すように、第二接続端２３の突出方向は、締結方向ＤＣに対して傾斜している。具体的に、第二接続端２３は、基端から先端へ向かうにしたがい鉛直下方側に位置するように、締結方向ＤＣに対して角度Ａだけ傾斜している。第二接続端２３の傾斜角度は、第一接続端１３の傾斜角度と実質的に同じになるように形成されている。
【００２８】
第二組合せ面２４は、第一ユニット１０に対向している。第二組合せ面２４は、締結方向ＤＣに沿う軸線に対して直交するように設けられている。第一ユニット１０と第二ユニット２０とが締結された状態において、第二組合せ面２４には、第一ユニット１０の第一ガイド部１５が当接している。
【００２９】
第二ガイド部２５は、第一組合せ面１４の外周に沿って設けられている。第二ガイド部２５は、第一組合せ面１４から締結方向ＤＣの一方側に向かって突出形成されている。第二ガイド部２５の突出方向は、締結方向ＤＣに対して傾斜している。具体的に、第二ガイド部２５は、基端から先端へ向かうにしたがい鉛直下方側に位置するように、締結方向ＤＣに対して角度Ａだけ傾斜している。第二ガイド部２５の傾斜角度は、第二接続端２３の傾斜角度と実質的に同じになるように形成されている。
【００３０】
図５は、第一ユニット１０と第二ユニット２０とが締結された締結状態における第一ガイド部１５及び第二ガイド部２５を締結方向ＤＣから見た概略断面図である。
図５に示すように、第二ガイド部２５は、環状に形成されている。第二ガイド部２５は、第二接続端２３（図１も参照）の外周部を囲うように設けられている。第一ユニット１０と第二ユニット２０とが締結された状態において、第二ガイド部２５は、第一ユニット１０の第一ガイド部１５を囲っている。
図１に戻って、第二ガイド部２５は、ボルト挿通孔３２を有する。
【００３１】
ボルト挿通孔３２は、第二ガイド部２５において、第二接続端２３よりも鉛直下方側に設けられている。ボルト挿通孔３２は、第二ガイド部２５を締結方向に貫通している。ボルト挿通孔３２は、第一方向Ｄ１に延在する長孔とされている。長孔の長軸寸法は、第一ユニット１０と第二ユニット２０とを締結する際に、第二ユニット２０が第一ユニット１０に対して第一方向Ｄ１に移動する距離寸法よりも大きくなるように形成されている。
【００３２】
（締結構造）
締結構造３０は、第一ユニット１０と第二ユニット２０とを締結するための構造である。図１に示すように、締結構造３０は、単一のボルト３３と、ネジ穴３１と、ボルト挿通孔３２と、を有する。
ボルト３３は、第二ユニット２０に設けられたボルト挿通孔３２に挿入されるとともに、第一ユニット１０に設けられたネジ穴３１に螺合している。これにより、ボルト３３は、第一ユニット１０と第二ユニット２０とを締結している。
【００３３】
（作用、効果）
次に、コネクタ構造１の作用、効果について説明する。
第一ユニット１０及び第二ユニット２０が締結される前の状態において、第一ユニット１０は、固定部材６に固定されている。このとき、第一ユニット１０は、第一接続端１３を締結方向ＤＣの他方側に向けた状態で固定部材６に固定されている。
【００３４】
次に、締結方向ＤＣの他方側から第二ユニット２０を第一ユニット１０に接続する。具体的に、第二ガイド部２５が第一ガイド部１５の外周を囲うように第二ユニット２０を第一ユニット１０に対向させるとともに、ボルト挿通孔３２にボルト３３を挿入する。さらに、ボルト３３を第一ユニット１０のネジ穴３１に螺合させることにより、第一ユニット１０と第二ユニット２０とを締結する。ここで、第一ガイド部１５及び第二ガイド部２５は締結方向ＤＣに対して角度Ａだけ傾斜している。このため、ボルト３３が第一ユニット１０と第二ユニット２０とを締め付けるにつれて、第二ユニット２０は、締結方向ＤＣに沿って第一ユニット１０側へ移動するとともに、傾斜に沿って鉛直下方側へ相対移動する。またこのとき、第二ユニット２０は、ネジ穴３１に螺合されたボルト３３に対して鉛直下方側へ相対移動する。換言すれば、ボルト３３は、ボルト挿通孔３２内を長孔の長軸方向に沿って鉛直上方側へ移動する。このようにして、第一ユニット１０と第二ユニット２０とが締結される。
【００３５】
ここで、図６は、締結状態における第一ガイド部１５及び第二ガイド部２５を第二方向Ｄ２から見た概略断面図である。
第一ユニット１０と第二ユニット２０が締結された状態において、さらにボルト３３を強く締め付けると、第二ユニット２０は、締結構造３０を有する鉛直下方側が第一ユニット１０側に強く引き付けられる。この時、第二ユニット２０には、締結構造３０を有する鉛直下方側を回転中心として、鉛直上方側が第一ユニット１０に対して開こうとする力が作用する。第一ガイド部１５及び第二ガイド部２５は傾斜しているので、第二ユニットが開こうとする力に対して、第一ガイド部１５と第二ガイド部２５とが係合する。これにより、第二ユニット２０は、開こうとする力と反対側に作用する力を第一ガイド部１５から受ける。
【００３６】
次に、比較のため、従来技術におけるコネクタ構造１０１について説明する。図７は、従来技術におけるコネクタ構造１０１の側面図である。図８は、従来技術の締結状態における第一ガイド部１１５及び第二ガイド部１２５を第二方向Ｄ２から見た概略断面図である。従来技術のコネクタ構造１０１においては、第一ガイド部１１５及び第二ガイド部１２５が締結方向ＤＣに沿うように形成されている。このため、従来技術のコネクタ構造１０１にあっては、図８に示すように、ボルト１３３により鉛直下方側のみが強く引き寄せられた際、第二ユニット２０の鉛直上方側端部が開こうとする力に対し、第一ガイド部１１５と第二ガイド部１２５とが係合しない。このため、第二ユニット１２０が開きやすい。このように、単一のボルト１３３により第一ユニット１１０と第二ユニット１２０とを締結した場合、ボルト１３３と反対側の端部において、締結時の押圧力により第一ユニット１１０と第二ユニット１２０との間に隙間が生じるおそれがある。
【００３７】
本実施形態のコネクタ構造１においては、第一ガイド部１５及び第二ガイド部２５が締結方向ＤＣに対して傾斜している。これにより、ボルト３３により第二ユニット２０の鉛直下方側が強く引き寄せられた場合であっても、第一ガイド部１５と第二ガイド部２５とが係合することにより、鉛直上方側端部において開きが生じにくい。よって、従来技術と比較して確実かつ強固に第一ユニット１０と第二ユニット２０とが締結される。
【００３８】
本実施形態のコネクタ構造１によれば、第一ユニット１０と第二ユニット２０とは単一のボルト３３により締結される。これにより、従来技術のように複数のボルトを締結する必要がないので、締結作業にかかる手間を軽減できる。また、第一ガイド部１５及び第二ガイド部２５は、締結方向ＤＣに沿う軸線に対して傾斜している。このため、第一ユニット１０及び第二ユニット２０は、ボルト３３を締め付けるにしたがい、締結方向ＤＣに沿う軸線に対して傾斜した傾斜方向に沿って移動しながら締結される。これにより、ボルト３３の押圧力によりボルト３３を回転中心として端部同士が開こうとする力に対して、傾斜した第一ガイド１５部及び第二ガイド部２５が互いに係合し、隙間の発生を抑制できる。よって、簡素な締結構造３０であっても確実に第一ユニット１０と第二ユニット２０とを締結できる。
また、隙間の発生が抑制されることにより、錆や水分の浸入による腐食が生じにくいコネクタ構造１とすることができる。
したがって、簡素な構成により確実に締結を行い、耐腐食性を向上したコネクタ構造１を提供できる。
さらに、第一ユニット１０及び第二ユニット２０の締結方向ＤＣが水平方向に沿うように配置された場合、ガイド部１５，２５は水平方向に対して傾斜しているので、ガイド部１５，２５に付着した水分は重力により傾斜に沿って落下する。これにより、ガイド部１５，２５への水溜まりを抑制し、一層腐食性を向上できる。
【００３９】
ボルト挿通孔３２は、第一方向Ｄ１に延在する長孔とされている。これにより、ボルト３３締結時、第一ユニット１０と第二ユニット２０との第一方向Ｄ１への相対移動に伴う変位を許容できる。よって、ボルト３３、第一ユニット１０及び第二ユニット２０に応力が集中するのを抑制し、必要以上に大きな力を加えることなく容易に第一ユニット１０と第二ユニット２０とを締結できる。したがって、簡素な構成により確実に締結を行うことができる。また、ボルト３３、第一ユニット１０及び第二ユニット２０にかかる応力を低減できるので、耐久性の向上及び長寿命化を図ることができる。
【００４０】
また、第一ガイド部１５は、鉛直上方側に位置する上辺１７において上方に突出する凸部１６を有するので、上辺１７に付着した水滴や埃等の異物が上辺１７に溜まるのを抑制できる。これにより、第一接続端１３及び第二接続端２３における異物の堆積を抑制するとともに水溜まりによる腐食の発生を抑制できる。よって、より一層腐食性を向上したコネクタ構造１とすることができる。
【００４１】
なお、本発明の技術範囲は上述した実施形態に限定されるものではなく、本発明の趣旨を逸脱しない範囲において種々の変更を加えることが可能である。
例えば、本実施形態においては、第一ユニット１０が固定部材６に固定され、第二ユニット２０を第一ユニット１０へ接続する構成としたが、これに限られない。第二ユニット２０が固定部材６に固定され、第一ユニット１０を第二ユニット２０へ接続する構成としてもよい。
【００４２】
本実施形態においては、第一ガイド部１５が鉛直上方側に位置する上辺１７において上方に突出する凸部１６を有する構成としたが、これに限られない。例えば、第二ガイド部の上辺に凸部が設けられてもよい。すなわち、第一ガイド部１５及び第二ガイド部２５の少なくとも一方は、第一接続端１３及び第二接続端２３よりも鉛直上方側の上辺において上方に突出する凸部を有していてもよい。
【００４３】
締結構造３０は、鉛直上方側や第二方向Ｄ２における一方側等、鉛直下方側以外に設けられてもよい。
また、コネクタ構造１は、車両に搭載されるコネクタ以外の汎用のコネクタのコネクタ構造１としても適用可能である。
【００４４】
その他、本発明の趣旨を逸脱しない範囲で、上述した実施形態における構成要素を周知の構成要素に置き換えることは適宜可能であり、また、上述した各変形例を適宜組み合わせてもよい。
【符号の説明】
【００４５】
１  コネクタ構造
１０  第一ユニット
１３  第一接続端
１４  第一組合せ面
１５  第一ガイド部（ガイド部）
１６  凸部
１７  上辺
１９  第一電気供給線
２０  第二ユニット
２３  第二接続端
２４  第二組合せ面
２５  第二ガイド部（ガイド部）
２９  第二電気供給線
３０  締結構造
３１  ネジ穴
３２  ボルト挿通孔
３３  ボルト
ＤＣ  締結方向
Ｄ１  第一方向
【図１】
2020113408.tif 000003
【図２】
2020113408.tif 000004
【図３】
2020113408.tif 000005
【図４】
2020113408.tif 000006
【図５】
2020113408.tif 000007
【図６】
2020113408.tif 000008
【図７】
2020113408.tif 000009
【図８】
2020113408.tif 000010